(57)【要約】【課題】改札効率を低下することなく利用者へのサービス性を向上することができる改札機での改札処理に利用可能な携帯機器、及び、改札システムを提供することを目的とする。【解決手段】  改札機での改札処理に利用可能な携帯機器であって、改札処理に必要な改札情報を記憶したメモリ部２０３と、メモリ部２０３に記憶した改札情報に基づいて改札機によって行われた改札処理の結果に相当する判定結果情報をアンテナＡＴを介して受信する通信制御部２０４と、通信制御部２０４により受信した判定結果情報に基づいて対応する音声を出力する音声処理部３０３と、を備えたことを特徴とする。【選択図】      図４
2006031289.tif 000002
【特許請求の範囲】
【請求項１】
改札機での改札処理に利用可能な携帯機器であって、
改札処理に必要な改札情報を記憶した記憶手段と、
前記記憶手段に記憶した改札情報に基づいて改札機によって行われた改札処理の結果に相当する判定結果情報を受信する受信手段と、
前記受信手段により受信した判定結果情報に基づいて、対応する音声を出力する音声出力手段と、
を備えたことを特徴とする携帯機器。
【請求項２】
改札機での改札処理に利用可能な携帯機器であって、
改札処理に必要な改札情報を記憶した第１記憶手段と、
前記第１記憶手段に記憶した改札情報に基づいて改札機によって行われた改札処理の結果に相当する判定結果情報を受信する受信手段と、
前記受信手段により受信した判定結果情報を記憶する第２記憶手段と、
判定結果情報に対応した音声の出力要求を受け付ける出力要求手段と、
前記出力要求手段により音声の出力要求を受け付けたのに基づき、前記第２記憶手段に記憶した判定結果情報に対応する音声を出力する音声出力手段と、
を備えたことを特徴とする携帯機器。
【請求項３】
改札機での改札処理に利用可能な携帯機器であって、
改札処理に必要な改札情報を記憶した第１記憶手段と、
前記第１記憶手段に記憶した改札情報に基づいて改札機によって行われた改札処理の結果に相当する判定結果情報を受信する受信手段と、
前記受信手段により受信した判定結果情報を記憶する第２記憶手段と、
判定結果情報に対応した音声の出力要求を受け付ける出力要求手段と、
前記出力要求手段により音声の出力要求を受け付けたのに基づき、前記第２記憶手段に記憶した判定結果情報に対応する音声を出力する音声出力手段と、
前記受信手段により判定結果情報を受信してからの経過時間を計測する計測手段と、
前記出力要求手段による音声出力要求を受け付ける前に、前記計測手段により所定の経過時間を計測したのに基づき、前記第２記憶手段に記憶した判定結果情報を消去する消去手段と、
を備えたことを特徴とする携帯機器。
【請求項４】
改札機での改札処理に利用可能な携帯機器であって、
改札処理に必要な改札情報を記憶した第１記憶手段と、
前記第１記憶手段に記憶した改札情報に基づいて改札機によって行われた改札処理の結果に相当する判定結果情報を受信する受信手段と、
前記受信手段により受信した判定結果情報を記憶する第２記憶手段と、
判定結果情報に対応した音声の出力要求を受け付ける出力要求手段と、
前記出力要求手段により音声の出力要求を受け付けたのに基づき、前記第２記憶手段に記憶した判定結果情報に対応する音声を出力する音声出力手段と、
前記音声出力手段により音声を出力したのに基づき、前記第２記憶手段に記憶した判定結果情報を消去する消去手段と、
を備えたことを特徴とする携帯機器。
【請求項５】
改札機での改札処理に利用可能な携帯機器であって、
改札処理に必要な改札情報を記憶した第１記憶手段と、
前記第１記憶手段に記憶した改札情報に基づいて改札機によって行われた改札処理の結果に相当する判定結果情報を受信する受信手段と、
前記受信手段により受信した判定結果情報を記憶する第２記憶手段と、
判定結果情報に対応した音声の出力要求を受け付ける出力要求手段と、
前記出力要求手段により音声の出力要求を受け付けたのに基づき、前記第２記憶手段に記憶した判定結果情報に対応する音声を出力する音声出力手段と、
前記第２記憶手段に記憶した判定結果情報の消去要求を受け付ける消去要求手段と、
前記消去要求手段による消去要求を受け付けたのに基づき、前記第２記憶手段に記憶した判定結果情報を消去する消去手段と、
を備えたことを特徴とする携帯機器。
【請求項６】
改札機での改札処理に利用可能な携帯機器であって、
改札処理に必要な改札情報を記憶した記憶手段と、
前記記憶手段に記憶した改札情報に基づいて改札機によって行われた改札処理の結果に相当する判定結果情報を受信する受信手段と、
判定結果情報に対応した音声パターンを記憶した音声記憶手段と、
前記受信手段により受信した判定結果情報に基づいて、対応する音声パターンを前記第２記憶手段から出力する音声出力手段と、
を備えたことを特徴とする携帯機器。
【請求項７】
改札機での改札処理に利用可能な携帯機器であって、
改札処理に必要な改札情報を記憶した記憶手段と、
前記記憶手段に記憶した改札情報に基づいて改札機によって行われた改札処理の結果に相当する判定結果情報を受信する受信手段と、
判定結果情報に対応した音声パターンを記憶した音声記憶手段と、
判定結果情報に対応した音声パターンの出力要求を受け付ける出力要求手段と、
前記出力要求手段により音声パターンの出力要求を受け付けたのに基づき、前記受信手段により受信した判定結果情報に対応する音声パターンを前記第２記憶手段から出力する音声出力手段と、
を備えたことを特徴とする携帯機器。
【請求項８】
改札機と、無線通信可能な携帯機器との間で改札処理を行う改札システムであって、
携帯機器は、改札処理に必要な改札情報を記憶した記憶手段を備え、
改札機は、前記記憶手段に記憶された改札情報を読み取る読取手段と、
前記読取手段により読み取った改札情報に基づいて改札処理を行う改札手段と、
前記改札手段によって行われた改札処理の結果に相当する判定結果情報を携帯機器に向けて送信する送信手段と、を備え、
前記携帯機器は、前記送信手段により送信された判定結果情報を受信する受信手段と、
前記受信手段により受信した判定結果情報に基づいて、対応する音声を出力する音声出力手段と、を備えたことを特徴とする改札システム。
【請求項９】
改札機と、無線通信可能な携帯機器との間で改札処理を行う改札システムであって、
携帯機器は、改札処理に必要な改札情報を記憶した第１記憶手段を備え、
改札機は、前記第１記憶手段に記憶された改札情報を読み取る読取手段と、
前記読取手段により読み取った改札情報に基づいて改札処理を行う改札手段と、
前記改札手段によって行われた改札処理の結果に相当する判定結果情報を携帯機器に向けて送信する送信手段と、を備え、
前記携帯機器は、前記送信手段により送信された判定結果情報を受信する受信手段と、
前記受信手段により受信した判定結果情報を記憶する第２記憶手段と、
判定結果情報に対応した音声の出力要求を受け付ける出力要求手段と、
前記出力要求手段により音声の出力要求を受け付けたのに基づき、前記第２記憶手段に記憶した判定結果情報に対応する音声を出力する音声出力手段と、を備えたことを特徴とする改札システム。
【発明の詳細な説明】
【技術分野】
【０００１】
この発明は、携帯機器、及び、改札システムに係り、特に、改札処理に必要な改札情報を記憶した携帯機器を利用した改札システムに関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの券媒体から改札処理に必要な改札情報を読み取り、利用者の改札通路の通行を許可するか否かの改札処理を行う。最近では、携帯電話を利用して発券を不要とする乗車券の販売システムなどが提案されている（例えば、特許文献１参照）。
【特許文献１】特開２００３−３１７１２０号公報
【発明の開示】
【発明が解決しようとする課題】
【０００３】
従来の改札機においては、改札通路の通行が許可されたのか否か、さらには、改札通路の通行が許可された場合に改札処理で引去られた引去り額（改札処理で利用された利用額）、引去り後の残額などの改札処理の結果は、改札機本体の下流側に設置された表示部に表示されている。
【０００４】
表示部に改札処理の結果を表示する方法のみでは、必ずしも利用者が必要とするタイミングで改札処理の結果を確認できるとは限らない。このため、利用者に対するサービス性が損なわれるおそれがある。また、利用者が表示部に表示される改札処理の結果を確認しようと表示部付近で立ち止まってしまったり、改札通路の通行速度を急激に低下したりすると、後続の利用者と衝突する危険があり、また、後続の利用者の流動を阻害する。このため、改札効率の低下を招くおそれがある。
【０００５】
この発明は、上述した問題点に鑑みなされたものであって、その目的は、改札効率を低下することなく利用者へのサービス性を向上することができる改札機での改札処理に利用可能な携帯機器、及び、改札システムを提供することにある。
【課題を解決するための手段】
【０００６】
この発明の第１の様態による携帯機器は、
改札機での改札処理に利用可能な携帯機器であって、
改札処理に必要な改札情報を記憶した記憶手段と、
前記記憶手段に記憶した改札情報に基づいて改札機によって行われた改札処理の結果に相当する判定結果情報を受信する受信手段と、
前記受信手段により受信した判定結果情報に基づいて、対応する音声を出力する音声出力手段と、
を備えたことを特徴とする。
【０００７】
この発明の第２の様態による改札システムは、
改札機と、無線通信可能な携帯機器との間で改札処理を行う改札システムであって、
携帯機器は、改札処理に必要な改札情報を記憶した記憶手段を備え、
改札機は、前記記憶手段に記憶された改札情報を読み取る読取手段と、
前記読取手段により読み取った改札情報に基づいて改札処理を行う改札手段と、
前記改札手段によって行われた改札処理の結果に相当する判定結果情報を携帯機器に向けて送信する送信手段と、を備え、
前記携帯機器は、前記送信手段により送信された判定結果情報を受信する受信手段と、
前記受信手段により受信した判定結果情報に基づいて、対応する音声を出力する音声出力手段と、を備えたことを特徴とする。
【発明の効果】
【０００８】
この発明によれば、改札効率を低下することなく利用者へのサービス性を向上することができる改札機での改札処理に利用可能な携帯機器、及び、改札システムを提供することができる。
【発明を実施するための最良の形態】
【０００９】
以下、この発明の一実施の形態に係る改札機での利用が可能な携帯機器、及び、改札システムについて図面を参照して説明する。  
無線通信可能な携帯機器との間で入場業務や出場業務などの改札処理を行う改札システムは、図１に示すような改札機を備えている。この改札機は、通常、２台１組として設置され、両者の間に利用者が通行可能な改札通路が形成される。改札機で利用可能な券媒体としては、普通乗車券、定期券、特急券、回数券、入場券、プリペイドカード、ポストペイカードなどの磁気式券媒体及び無線式券媒体を対象としている。改札機で利用可能な携帯機器は、無線式券媒体の機能を備えている。
【００１０】
これらに券媒体は、改札処理に必要な改札情報として、例えば、利用可能な区間情報、有効期限情報、入場記録情報、出場記録情報、利用者情報、利用可能な金額情報などを有している。
【００１１】
改札機の本体１における通行方向下流側には、案内表示部４が設けられている。この案内表示部４は、利用者や係員などに対して各種案内に関する情報の他に、改札処理の結果に関する判定結果情報（改札通路の通行を許可する旨の情報（判定ＯＫ）、改札通路の通行を阻止する旨の情報（判定ＮＧ）、改札処理で利用された利用額に対応する情報、利用可能な金額から利用額を引去った後の残額に対応する情報）などを表示する。
【００１２】
本体１の改札通路側に面した側面の両端部には、それぞれ利用者の通行を制御する（通行を阻止するまたは通行を許可する）開閉動作可能なドア機構５が設けられている。このドア機構５は、改札処理の結果に基づいて開閉制御される。
【００１３】
本体１の上部には、利用者の改札通路を規定するための枠体６が立設されている。枠体６及び本体１の各改札通路側の側面には、利用者の通過を検知する複数の人間検知器７がそれぞれ設けられている。また、枠体６上には、小児券の投入、無効券の投入や機器の異常など装置の動作状態を表示する表示灯８が設けられている。
【００１４】
本体１における一端側上面部には、無線式券媒体との間で無線通信を行うための動作磁界を発生するアンテナ部１１１を備えた無線通信装置１１２が設けられている。無線通信装置１１２は、アンテナ部１１１を介して利用者によりかざされた無線式券媒体との間で無線通信を行う。つまり、無線通信装置１１２は、アンテナ部１１１を介して無線式券媒体から送信されたデータを受信したり、無線式券媒体に対してデータを送信したりする。
【００１５】
図２に示すように、改札機は、装置全体の制御を司るＣＰＵ６０を備えている。このＣＰＵ６０は、券媒体に記憶された改札情報に基づいて改札処理を行う改札手段としての機能を有している。  
このＣＰＵ６０には、ＲＯＭ６１、ＲＡＭ６２、運賃メモリ６３、通過検知回路７０、ドア制御回路７１、表示制御回路７２、無線通信制御回路７４、通信制御部７７、係員操作パネル７８などが接続されている。
【００１６】
ＲＯＭ６１は、ＣＰＵ６０の制御プログラムなどを記憶している。ＲＡＭ６２は、制御プログラムのバッファとして情報を記憶するとともに、券媒体から読み取った情報などの各種エラー情報などを記憶する。運賃メモリ６３は、入場駅（から設置駅まで）に対応した運賃情報を記憶している。
【００１７】
通過検知回路７０は、人間検知器７からの出力信号に基づいて利用者の通過（移動位置）を検知する。ドア制御回路７１は、ドア機構５を駆動するドア開閉機構７９を制御する。表示制御回路７２は、案内表示部４や表示灯８などの各種表示部の駆動を制御する。
【００１８】
無線通信制御回路７４は、無線通信装置１１２を制御して、アンテナ部１１１を介して無線式券媒体と交信し、無線式券媒体に記憶された改札情報などを含むデータを読み取る（無線式券媒体から送信されたデータを受信する）読取手段としての機能を有するとともに、無線式券媒体に向けて所定情報例えば改札処理の結果に相当する判定結果情報などを含むデータを送信する（無線式券媒体に対してデータを書き込む）送信手段としての機能を有している。
【００１９】
通信制御部７７は、遠隔操作部９０との間で情報通信を行う。この遠隔操作部９０は、改札機を監視する監視装置あるいは改札機を制御するホストコンピュータなどであり、改札機における各種設定を受け付ける入力部、入力された情報や改札機本体の動作状態などを表示する表示部などで構成されている。係員操作パネル７８は、改札機における各種設定を受け付ける入力部、入力された情報や改札機本体の動作状態などを表示する表示部などで構成されている。
【００２０】
図３に示すように、無線式券媒体Ｃは、アンテナＡＴ、アンテナＡＴに接続されたＩＣチップ部２００などを備えている。このＩＣチップ部２００は、無線通信装置１１２との間での無線通信を制御するＣＰＵ２０１、ＣＰＵ２０１に対して駆動電源を供給する電源２０２などを備えている。このＣＰＵ２０１には、メモリ部２０３、アンテナＡＴを介して改札機の無線通信装置１１２から送信されたデータを受信したり無線通信装置１１２に対してデータを送信したりする通信制御部２０４などが接続されている。
【００２１】
メモリ部２０３は、改札処理に必要な改札情報を記憶した記憶手段（第１記憶手段）としての機能を有している。通信制御部２０４は、アンテナＡＴを介して改札機から送信された判定結果情報を含む各種データを受信する受信手段としての機能を有している。また、メモリ部２０３は、受信した判定結果情報を記憶する第２記憶手段としての機能も有している。
【００２２】
図４に示すように、改札機での改札処理に利用可能な携帯機器は、主要部３００のほかに、図３に示したような無線式券媒体Ｃの機能を備えている。すなわち、携帯機器は、主要部３００を構成する主制御部３０１、主制御部３０１に対して駆動電源を供給する電源３０２などを備えている。さらに、この携帯機器は、無線式券媒体Ｃの機能として、アンテナＡＴ、アンテナＡＴに接続されたＩＣチップ部２００などを備えている。このＩＣチップ部２００は、主制御部３０１に接続されている。
【００２３】
主制御部３０１には、音声処理部３０３、メモリ部３０５、操作部３０６、表示部３０７、通信部３０８、タイマ部３１０などが接続されている。
【００２４】
音声処理部３０３は、スピーカ３０４を駆動して、ＩＣチップ部２００において改札機から受信した判定結果情報に基づいて、対応する音声を出力する音声出力手段としての機能を有している。メモリ部３０５は、主要部３００の駆動に必要な各種プログラムなどを記憶している。また、メモリ部３０５は、判定結果情報に対応した音声パターンを記憶した音声記憶手段としての機能を有している。
【００２５】
操作部３０６は、利用者による各種入力を受け付けるための各種ボタンを備えている。すなわち、操作部３０６は、判定結果情報に対応した音声の出力要求を受け付ける出力要求手段としての機能を有する第１ボタン３０６Ａを含む。また、操作部３０６は、ＩＣチップ部２００のメモリ部２０３に記憶した判定結果情報の消去要求を受け付ける消去要求手段としての機能を有する第２ボタン３０６Ｂを含む。ＩＣチップ部２００のＣＰＵ２０１は、メモリ部２０３に記憶した判定結果情報を消去する消去手段としての機能を有している。
【００２６】
表示部３０７は、操作部３０６を介して入力された情報や、メモリ部３０５に記憶した情報などを表示する。通信部３０８は、アンテナ３０９を介して各種データや音声信号などの送受信を行う。タイマ部３１０は、ＩＣチップ部２００において判定結果情報を受信してからの経過時間を計測する計測手段としての機能を有している。
【００２７】
次に、無線式券媒体Ｃ（あるいは無線式券媒体の機能を備えた携帯機器）を利用した改札処理方法について説明する。
【００２８】
図５に示すように、無線通信装置１１２は、アンテナ部１１１を介して、無線式券媒体Ｃに対して一定時間の間隔でポーリングコマンド信号を発信している。利用者が無線式券媒体Ｃをアンテナ部１１１にかざすと、無線通信によるデータのやり取りが開始される。つまり、このポーリングコマンド信号に対して、無線式券媒体Ｃから返信信号が無線通信装置１１２に向けて送信される（ポーリングレスポンス）。
【００２９】
そして、無線通信装置１１２からアンテナ部１１１を介して無線式券媒体Ｃに対して改札情報を含むデータの送信を要求する（リードコマンド）。無線式券媒体Ｃの通信制御部２０４は、アンテナＡＴを介して無線通信装置１１２からのデータ送信要求を受信したのに基づいて、ＣＰＵ２０１の制御に基づきメモリ部２０３に記憶していた改札情報を含むデータをアンテナＡＴを介して無線通信装置１１２に向けて送信する（リードレスポンス）。
【００３０】
無線通信装置１１２がアンテナ部１１１を介して無線式券媒体Ｃからデータを受信したのに基づき、改札機におけるＣＰＵ６０は、受信したデータをもとに改札処理を行う（判定）。そして、無線通信装置１１２は、アンテナ部１１１を介してＣＰＵ６０における改札処理の結果に相当する判定結果情報を含むデータを無線式券媒体Ｃに送信する（判定結果送信、ライトコマンド）。
【００３１】
その後、無線式券媒体Ｃの通信制御部２０４は、アンテナＡＴを介して無線通信装置１１２から送信されたライトコマンドを受信したのに基づいて、ＣＰＵ２０１の制御に基づき受信したデータをメモリ部２０３に記憶する。つまり、ライトコマンドに含まれる判定結果情報もメモリ部２０３に記憶される。そして、通信制御部２０４は、アンテナＡＴを介して無線通信装置１１２に向けてデータが正常に書き込まれ一連の改札処理が完了したことを通知する（ライトレスポンス）。
【００３２】
その後、無線通信装置１１２は、無線式券媒体Ｃからライトレスポンスを受信したのに基づいて、無線式券媒体Ｃに対して処理を終了するためのクローズコマンドを送信する。無線式券媒体Ｃは、無線通信装置１１２からのクローズコマンドを受信したのに基づいて、無線通信装置１１２に対してクローズレスポンスを送信する。無線通信装置１１２は、無線式券媒体Ｃからクローズレスポンスを受信したのに基づいて、改札機におけるＣＰＵ６０に対して一連の処理が正常に終了した旨を通知する。
【００３３】
このようなデータのやり取りにより、無線式券媒体Ｃと改札機における無線通信装置１１２との間での改札処理が行われる。
【００３４】
次に、上述した改札処理の結果、判定結果情報を記憶した携帯機器から音声により改札処理の結果を出力する第１の音声出力処理について説明する。  
図６のフローチャートに示すように、携帯機器主要部３００の主制御部３０１は、操作部３０６の第１ボタン３０６Ａを介した判定結果情報に対応した音声の出力要求を受け付けたか否かを判断する（ＳＴ１１）。主制御部３０１は、第１ボタン３０６Ａを介した音声出力要求を受け付けたと判断したのに基づいて（ＳＴ１１、Ｙ）、ＩＣチップ部２００のメモリ部２０３に記憶された判定結果情報を参照する（ＳＴ１２）。
【００３５】
そして、主制御部３０１は、参照した判定結果情報に基づいて、対応する音声パターンをメモリ部３０５から出力する。そして、主制御部３０１は、音声処理部３０３を制御して、メモリ部３０５から出力した音声パターンに基づいてスピーカ３０４を駆動する（ＳＴ１３）。これにより、判定結果情報に対応した音声がスピーカ３０４から出力される。このとき、例えば、改札通路の通行を許可する（判定ＯＫ）旨の音声、改札通路の通行を阻止する（判定ＮＧ）旨の音声、改札処理で利用された利用額を案内する音声、利用可能な金額から利用額を引去った後の残額を案内する音声などが出力される。
【００３６】
続いて、主制御部３０１は、音声処理部３０３により判定結果情報に対応した音声が出力されたのに基づいて、ＩＣチップ部２００のＣＰＵ２０１に対してメモリ部２０３に記憶した判定結果情報を消去する旨の消去コマンドを出力する。そして、ＣＰＵ２０１は、主制御部３０１から消去コマンドを受信したのに基づいて、メモリ部２０３から対応する判定結果情報を消去する（ＳＴ１４）。これにより、第１の音声出力処理を終了する。
【００３７】
一方で、主制御部３０１は、タイマ部３１０を作動させ、ＩＣチップ部２００の通信制御部２０４がアンテナＡＴを介して無線通信装置１１２から送信されたライトコマンド（判定結果情報を含む）を受信してからの経過時間（あるいは、メモリ部２０３に受信したライトコマンドを記憶してからの経過時間）を計測する。
【００３８】
そして、主制御部３０１は、ステップＳＴ１１において、第１ボタン３０６Ａを介した音声出力要求を受け付けなかったと判断したのに基づいて（ＳＴ１１、Ｎ）、タイマ部３１０で計測した経過時間を参照する。そして、主制御部３０１は、タイマ部３１０により所定の経過時間を計測したのに基づいて（ＳＴ１５、Ｙ）、ＩＣチップ部２００のＣＰＵ２０１に対してメモリ部２０３に記憶した判定結果情報を消去する旨の消去コマンドを出力する。そして、ＣＰＵ２０１は、主制御部３０１から消去コマンドを受信したのに基づいて、メモリ部２０３から対応する判定結果情報を消去する（ＳＴ１４）。これにより、第１の音声出力処理を終了する。
【００３９】
上述した第１の音声出力処理方法によれば、携帯機器を利用して改札機での改札処理を行った際、携帯機器に設けられたスピーカを介して改札処理の結果を音声により確認することが可能となる。このため、利用者が改札機の案内表示部に表示された改札処理の結果を確認できなかったとしても、利用者が必要とするタイミングで携帯機器を操作することにより、必要な改札処理の結果を音声により確認することができる。したがって、利用者に対するサービス性を向上することができる。また、利用者が案内表示部付近で立ち止まることを抑制できるため、改札効率の低下を防止することができる。
【００４０】
また、この第１の音声出力処理方法によれば、利用者が特別な操作をしなくても、改札処理の結果が音声出力されたのに基づいて、または、音声出力されなくても所定時間が経過したのに基づいて、判定結果情報を自動的に消去することが可能となる。
【００４１】
次に、上述した改札処理の結果、判定結果情報を記憶した携帯機器から音声により改札処理の結果を出力する第２の音声出力処理について説明する。  
図７のフローチャートに示すように、携帯機器主要部３００の主制御部３０１は、操作部３０６の第１ボタン３０６Ａを介した判定結果情報に対応した音声の出力要求を受け付けたか否かを判断する（ＳＴ２１）。主制御部３０１は、第１ボタン３０６Ａを介した音声出力要求を受け付けたと判断したのに基づいて（ＳＴ２１、Ｙ）、ＩＣチップ部２００のメモリ部２０３に記憶された判定結果情報を参照する（ＳＴ２２）。
【００４２】
そして、主制御部３０１は、参照した判定結果情報に基づいて、対応する音声パターンをメモリ部３０５から出力する。そして、主制御部３０１は、音声処理部３０３を制御して、メモリ部３０５から出力した音声パターンに基づいてスピーカ３０４を駆動する（ＳＴ２３）。これにより、判定結果情報に対応した音声がスピーカ３０４から出力される。このとき、例えば、改札通路の通行を許可する（判定ＯＫ）旨の音声、改札通路の通行を阻止する（判定ＮＧ）旨の音声、改札処理で利用された利用額を案内する音声、利用可能な金額から利用額を引去った後の残額を案内する音声などが出力される。
【００４３】
続いて、主制御部３０１は、音声処理部３０３により判定結果情報に対応した音声が出力されたのに基づいて、操作部３０６の第２ボタン３０６Ｂを介した判定結果情報の消去要求を受け付けたか否かを判断する（ＳＴ２４）。主制御部３０１は、第２ボタン３０６Ｂを介した消去要求を受け付けたと判断したのに基づいて（ＳＴ２４、Ｙ）、ＩＣチップ部２００のＣＰＵ２０１に対してメモリ部２０３に記憶した判定結果情報を消去する旨の消去コマンドを出力する。そして、ＣＰＵ２０１は、主制御部３０１から消去コマンドを受信したのに基づいて、メモリ部２０３から対応する判定結果情報を消去する（ＳＴ２５）。これにより、第２の音声出力処理を終了する。
【００４４】
上述した第２の音声出力処理方法によれば、携帯機器を利用して改札機での改札処理を行った際、携帯機器に設けられたスピーカを介して改札処理の結果を音声により確認することが可能となる。このため、利用者が改札機の案内表示部に表示された改札処理の結果を確認できなかったとしても、利用者が必要とするタイミングで携帯機器を操作することにより、必要な改札処理の結果を音声により確認することができる。したがって、利用者に対するサービス性を向上することができる。また、利用者が案内表示部付近で立ち止まることを抑制できるため、改札効率の低下を防止することができる。
【００４５】
また、この第２の音声出力処理方法によれば、利用者が携帯機器の操作部３０６を操作して消去要求を行わない限り、判定結果情報は消去されない。このため、利用者が必要とするタイミングで最新の改札処理の結果を何度でも音声により確認することが可能となる。
【００４６】
以上説明したように、この実施の形態によれば、携帯機器を利用して改札機での改札処理を行った際、利用者が必要とするタイミングで携帯機器に設けられたスピーカを介して改札処理の結果を音声により確認することが可能となる。このため、騒音の激しい改札口付近や、改札機が複数台設置されたような改札口付近であっても、利用者本人が所持する携帯機器を用いて個別に改札処理の結果を確認することができ、他の利用者の改札処理の結果と混同しにくくなる。また、利用者数の多い改札機で改札処理を行った場合、改札機の案内表示部に表示される改札処理の結果が次々と更新されてしまい、どの表示画面が自分の改札処理の結果であるか判別しにくいが、携帯機器を用いることで確実に自分の改札処理の結果を確認することができる。
【００４７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４８】
上述した第１及び第２の音声出力方法によれば、音声出力要求を受け付けたタイミングの判断は、携帯機器の操作部に設けられた第１ボタンの押下によってなされたが、携帯機器の利用を開始する動作（例えば、電源投入動作など）によってなされても良い。
【００４９】
また、判定結果情報に対応する音声（あるいは音声パターン）とは、人間の言葉であっても良いし、音のパターンであっても良い。音のパターンは、例えば利用者によって予め設定されたメロディであっても良い。
【図面の簡単な説明】
【００５０】
【図１】図１は、この発明の一実施の形態に係る改札機の外観を概略的に示す斜視図である。
【図２】図２は、図１に示した改札機の制御系の構成を概略的に示すブロック図である。
【図３】図３は、図１に示した改札機による改札処理対象としての無線式券媒体の構成を概略的に示す図である。
【図４】図４は、図１に示した改札機による改札処理対象としての携帯機器の構成を概略的に示す図である。
【図５】図５は、無線式券媒体（あるいは無線式券媒体の機能を備えた携帯機器）と改札機との無線通信による信号のやりとりを説明するための図である。
【図６】図６は、判定結果情報を記憶した携帯機器から音声により改札処理の結果を出力する第１の音声出力処理を説明するためのフローチャートである。
【図７】図７は、判定結果情報を記憶した携帯機器から音声により改札処理の結果を出力する第１の音声出力処理を説明するためのフローチャートである。
【符号の説明】
【００５１】
１…改札機本体、６０…ＣＰＵ、７４…無線通信制御回路、１１１…アンテナ部、１１２…無線通信装置、Ｃ…無線式券媒体、２００…ＩＣチップ部、２０１…ＣＰＵ、２０２…電源、２０３…メモリ部、２０４…通信制御部、ＡＴ…アンテナ、３００…主要部、３０１…主制御部、３０２…電源、３０３…音声処理部、３０４…スピーカ、３０５…メモリ部、３０６…操作部、３０６Ａ…第１ボタン、３０６Ｂ…第２ボタン、３０７…表示部、３０８…通信部、３０９…アンテナ、３１０…タイマ部
【図１】
2006031289.tif 000003
【図２】
2006031289.tif 000004
【図３】
2006031289.tif 000005
【図４】
2006031289.tif 000006
【図５】
2006031289.tif 000007
【図６】
2006031289.tif 000008
【図７】
2006031289.tif 000009